(57)【要約】【課題】内部にポンプ室を形成しているハウジングとこのポンプ室を覆うカバーとを組み合わせて一体化してポンプを形成するに際して、両者の組立時における位置決めを正確且つ容易にするために位置決めピンを用いており、それを挿入するピン挿入穴をハウジングに形成する必要がある。また、ポンプ室内の過剰な圧力を逃がすためポンプ室の所定の位置に外部と連通する圧抜き穴を形成する必要もあり、両方の穴を形成するため２個の穴加工を行わなければならなかった。【解決手段】内部にポンプ室１を備えるハウジング２とこれを覆うカバー３とによりポンプを構成しており、カバー３の上端面１４にはポンプ室１３の所定位置に端部が開口する圧抜き溝１５を形成し、その端部を位置決めピン１２を挿入する圧抜き兼ピン挿入穴１１に連通させる。圧抜き兼ピン挿入穴１１は位置決めピン１２を挿入した状態でその周囲或いは内部に圧抜き通路が形成されている。【選択図】        図１
2004257245.tif 000002
【特許請求の範囲】
【請求項１】
内部にポンプを収納するハウジングと燃料吸入孔を設けたカバーとを位置決めピンで位置決めを行うとともに、カバーにポンプ室内の圧力を抜く圧抜き穴を備えた車両用モータ式燃料ポンプにおいて、
前記圧抜き穴に対し位置決めピンを挿入し、該位置決めピン挿入時において前記圧抜き穴に圧抜き通路を確保することができるように構成したことを特徴とする車両用モータ式燃料ポンプ。
【請求項２】
前記圧抜き穴とポンプ室内の圧抜き部分とを圧抜き溝で連通したことを特徴とする請求項１記載の車両用モータ式燃料ポンプ。
【発明の詳細な説明】
【０００１】
【発明の属する技術分野】
本発明は、車両の燃料タンク内に収納するモータ駆動式の車両用モータ式燃料ポンプに関し、特にポンプのハウジングとカバーの組立時の位置決めを行う位置決めピンと、ポンプ室内の圧力を抜く圧抜き穴を兼用した車両用モータ式燃料ポンプに関する。
【０００２】
【従来の技術】
車両用エンジンに燃料を供給する燃料ポンプは、近年は燃料タンク内にこれを取り付けるインタンク型のモータ駆動式燃料ポンプが用いられており、燃料タンクの上壁の開口に固定したフランジ部材に対して、燃料ポンプを懸下したものが広く用いられている。また、この燃料ポンプに対してフィルタ等を組み込みユニット化したものも使用されるようになっている。
【０００３】
このような燃料ポンプにおいては、例えば図５にそのポンプ部分の断面図を示すように、ポンプ室３１を形成したハウジング３２と、そのハウジング３２の下面に当接してポンプ室３１を覆うカバー３３を組み合わせることによりポンプ本体部分を構成している。ポンプ室３１内にはトロコイドギア等のポンプ部材３４を備え、そのポンプ部材３４をモータ３５の回転軸３６によって回転し、カバー３３に形成した吸い込み口３７から燃料タンク内の燃料を吸い込み、これを吐出孔３８からモータ室４０内に吐出し、モータ室４０内を通過した燃料は図示されていないポンプ本体上部の排出孔から燃料噴射装置等に加圧燃料を供給している。
【０００４】
上記のようなハウジング３２とカバー３３とを組み立てるに際しては、カバー３３に形成した吸い込み口３７部分とハウジング３２に形成した吐出孔３８部分等との正確な相対的な位置決めを容易に行うことができるようにするため、ハウジング３２側の位置決めピン挿入穴４４に挿入して予め固定し、カバー３３側に突出する位置決めピン４２を設け、これをカバー３３に形成した位置決めピン挿入穴４３に挿入し、あるいはカバー３３の位置決めピン挿入穴４４に挿入して予め固定し、ハウジング３２側に突出する位置決めピン４２を設け、これをハウジング３２に形成した位置決めピン挿入穴４４に挿入している。
【０００５】
それによりこの燃料ポンプの組み立てに際して、例えばハウジング３２側に位置決めピン４２を予め固定している場合には、ハウジング３２のポンプ室３１内にポンプ部材３４を配置した状態で、位置決めピン４２の先端をカバー３３のピン挿入穴４３に嵌合させて両者を組み合わせ、これをモータ３５の回転軸３６の先端に組み込み、これらを外側ケーシング４５で結合し、全体として一体化した燃料ポンプユニットとしている。なお、位置決めピン４２としては例えば断面Ｃ型のピン等が用いられている。
【０００６】
一方、このような燃料ポンプにおいては、特に燃料昇温時にポンプ内部で加圧された燃料がその内部からベーパを発生し、ポンプ性能を低下させることがあるため、図５（ｂ）に示すようにポンプの高圧領域を形成する位置の端部で吸い込み口３７と吐出孔３８との間の位置に、ポンプ外部に連通する圧抜き穴４４をカバー３３を貫通して形成している。
【０００７】
【発明が解決しようとする課題】
従来の燃料ポンプにおいては上記のように、また、例えば図５に示すように、カバー３３に位置決めピン４２を挿入させるため位置決めピンを圧入する位置決めピン挿入穴４３を形成し、かつ上記のような圧抜き穴４４を形成する必要があり、したがって２個の穴を形成する必要があるため加工工数が多くなり、その分高価なものとならざるを得なかった。
【０００８】
したがって本発明は、位置決めピン圧入孔と圧抜き穴の２個の穴を形成する必要が無く、１つの穴を形成するのみで両者を兼用することができるようにした車両用モータ式燃料ポンプ装置を提供することを目的とする。
【０００９】
【課題を解決するための手段】
上記課題を解決するため、本願の特許請求の範囲の請求項１に係る車両用モータ式燃料ポンプは、内部にポンプを収納するハウジングと燃料吸入孔を設けたカバーとを位置決めピンで位置決めを行うとともに、カバーにポンプ室内の圧力を抜く圧抜き穴を備えた車両用モータ式燃料ポンプにおいて、前記圧抜き穴に対し位置決めピンを挿入し、該位置決めピン挿入時において前記圧抜き穴に圧抜き通路を確保することができるように構成したものである。
【００１０】
また、請求項２に係る車両用モータ式燃料ポンプは、前記圧抜き穴とポンプ室内の圧抜き部分とを圧抜き溝で連通したことを特徴とする請求項１記載の車両用モータ式燃料ポンプとしたものである。
【００１１】
【発明の実施の形態】
本発明の実施例を図面に沿って説明する。図１は本発明による燃料ポンプの全体を示す要部断面図であり、図２（ａ）には本発明の特徴部分が示されているカバー部分における圧抜き溝に沿った部分の断面図を示し、同図（ｂ）にはそのカバー部分の斜視図を示しており、更に図３（ａ）にはカバー部分における吸入口を含む部分の断面図を示し、同図（ｂ）にはこのカバー部分の底面図を示している。
【００１２】
本発明によるポンプ装置の全体構成は前記図５に示す従来のものと同様であり、ポンプ室１を形成したハウジング２と、そのハウジング２の下面に当接してポンプ室１を覆うカバー３を組み合わせることによりポンプ本体部分を構成している。ポンプ室１内にはトロコイドギア等のポンプ部材４を備え、そのポンプ部材４をモータ５の回転軸６によって回転し、カバー３に形成した吸い込み口７から燃料タンク内の燃料を吸い込み、これを圧縮して吐出孔８からモータ室１０内に吐出し、モータ室１０内を通過した燃料はポンプ本体上部の排出孔９から燃料噴射装置等に加圧燃料を供給している。
【００１３】
上記のようなハウジング２とカバー３の組立時の両者の位置決めのため、カバー３に形成した後述するような圧抜き作用を行う圧抜き兼ピン挿入穴１１に位置決めピン１２を挿入しており、ハウジング２にはこの位置決めピン１２に対向する位置にピン挿入穴１３を形成している。
【００１４】
このカバー３は図２に示すように、圧抜き兼ピン挿入穴１１が開口するカバー上端面１４に、図５に示すような従来の燃料ポンプにおいて圧抜き穴を形成していた位置に、圧抜き溝１５の先端開口部１６を位置させており、この圧抜き溝１５の後端部は前記のような圧抜き兼ピン挿入穴１１の開口部１７に連通し、ポンプ室の高圧部分の燃料の一部を圧抜き兼ピン挿入穴１１に導くことができるようにしている。
【００１５】
圧抜き兼ピン挿入穴１１及び位置決めピン１２は種々の態様で形成し、それらを組み合わせて使用することができるが、前記実施例においては図４（ａ）に拡大図を示しているような形状の圧抜き兼ピン挿入穴１１を形成している。即ち、この実施例においては円柱形状の位置決めピン１２を用いており、圧抜き兼ピン挿入穴１１としてその外径が位置決めピン１２より大きく、図中等間隔の３箇所の部分で穴の中心に向けて突出する突出部１８を形成しておりその突出部１８の内面にピン挿入部を形成している。このピン挿入部に円柱形状の位置決めピン１２を挿入している。
【００１６】
この実施例においては、位置決めピン１２をピン挿入支持部に挿入したとき、圧抜き兼ピン挿入穴１１には３本の通路１９が形成されるが、そのうちの少なくとも１つが前記のような圧抜き溝１５に連通し、圧抜き通路２１となる。それにより、ポンプ室内の高圧部分は圧抜き溝１５を介し、圧抜き通路２１からポンプの外部に排出することができる。また、圧抜き通路２１は、位置決めピン１２の外周部とカバー３の圧抜き兼ピン挿入穴１１を形成する内周面とで形成されている。言い換えれば、圧抜き兼ピン挿入穴の一部を位置決めピンが占め、それ以外の空間を圧抜き通路２１としている。このように、本発明においては、従来のような位置決めピンを圧入して支持する位置決めピン挿入穴と圧抜き穴の２個の穴を形成する必要なく、１個の圧抜き兼ピン挿入穴を形成するのみでよく、加工工数を減少することができ、安価な車両用モータ式燃料ポンプとすることができる。
【００１７】
圧抜き兼ピン挿入穴１１及び位置決めピン１２は上記実施例の外、他えば図４（ｂ）〜（ｅ）に示すように断面円形の圧抜き兼ピン挿入穴１１を形成し、その中に同図（ｂ）に示す実施例においては、側面に対して断面半月状の切欠２２を形成し、その切欠２２が圧抜き溝１５に連通させることにより圧抜き通路２１としても良い。このように圧抜き兼ピン挿入穴１１を円形に形成しているのでその成形が容易である。また圧抜き溝１５を圧抜き兼ピン挿入穴の全周にわたって形成することにより、位置決めピン１２の挿入時の位置合わせが不要となり、組み付けが容易となる。
【００１８】
また同図（ｃ）に示すように、図中の例においては周囲に３個の断面円形の突起部２３を形成したロッド２４を用い、ロッド２４の周囲に形成される３個の外周溝２５の少なくとも一つを圧抜き溝１５と連通させ、これを圧抜き通路２１としても良い。
【００１９】
その他図４（ｄ）に示すように、周囲に多数の軸方向に延びるＶ字状切り溝２６を形成し、そのＶ字状切り溝２６のいずれかを圧抜き通路２１としても良い。このようなＶ字状切り溝２６を形成することにより、位置決めピン固定時の圧抜き溝１５に対する位置合わせは不要となる。
【００２０】
また、同図（ｅ）に示すように、側面に軸線方向に沿って切欠部２７を形成した、中空円筒状で断面Ｃ型の弾性位置決めピン２８を円形の圧抜き溝１５に挿入しても良い。この弾性位置決めピン２８の圧抜き溝１５への挿入に際しては、ピン自体に弾性力があるのでその外径の製造誤差を吸収することができ、製造及び組立は容易となる。また、上述の同図（ｂ）で説明したとおり圧抜き溝１５を圧抜き兼ピン挿入穴の全周にわたって形成してもよい。
【００２１】
上記のような圧抜き兼ピン挿入穴１１及び位置決めピン１２は図示するもの以外に、例えば図４（ａ）のよう異径断面の圧抜き兼ピン挿入穴１１に対して同図（ｄ）のような位置決めピン１２、或いは同図（ｅ）に示すような弾性位置決めピン２８を用いる等、更に種々の態様で実施することができる。また、上記実施例においては位置決めピン１２を予めハウジングに固定して突出させておき、組立時にカバー３に設けた圧抜き兼ピン挿入穴１１に挿入する例を示したが、逆に位置決めピン１２をカバー３に設けた圧抜き兼ピン挿入穴１１に圧入して固定しておき、組立時にハウジング２側のピン挿入穴にこの位置決めピン１２を挿入するようにしても良い。
【００２２】
また、上記実施例においてハウジングとしてその燃料吐出孔を備えた側面部分と内部にポンプ室を形成しポンプ室外周を形成するハウジング部分とを一体化したものを示したが、例えば燃料吐出孔を備えた側面部材と、内部にポンプ室を形成しポンプ室外周を形成するハウジング部材とに分けて製造し、これを組み合わせてハウジングとしても良い。その際には位置決めピンをハウジング側に固定する際、側面部材とハウジング部材を貫通するようにピン挿入穴を形成しても良く、ハウジング部材のみにピン挿入穴を形成しても良い。
【００２３】
【発明の効果】
本願の請求項１に係る車両用モータ式燃料ポンプは、上記のように内部にポンプを収納するハウジングと燃料吸入孔を設けたカバーとを位置決めピンで位置決めを行うとともに、カバーにポンプ室内の圧力を抜く圧抜き穴を備えた車両用モータ式燃料ポンプにおいて、前記圧抜き穴に対し位置決めピンを挿入し、該位置決めピン挿入時において前記圧抜き穴に圧抜き通路を確保することができるように構成したので、従来のようにハウジングとカバーとの組み立てのための位置決めピンを挿入する穴と、ポンプ室内の圧力を抜く圧抜き穴との２つの穴をカバーに形成する必要が無く、１つの穴を形成するのみで良いので、加工工数が減少し、安価な車両用モータ式燃料ポンプとすることができる。
【００２４】
また、請求項２に係る車両用モータ式燃料ポンプは、前記圧抜き穴とポンプ室内の圧抜き部分とを圧抜き溝で連通したことを特徴とする請求項１記載の車両用モータ式燃料ポンプとしたので、予めポンプの作動特性上定められている圧抜き穴のポンプ室側の開口部分と、ポンプ室内を貫通することができない位置に配置されていて、且つ圧抜き穴を兼ねる位置決めピンの挿入穴とを、圧抜き溝で自由に連通することができ、特に圧抜き兼ピン挿入穴の配置の自由度を向上させることができる。
【図面の簡単な説明】
【図１】本発明による車両用モータ式燃料ポンプの実施例の側面及び要部の断面を示す図である。
【図２】同実施例のカバー部分を示す図であり、（ａ）はその圧抜き兼ピン挿入穴部分を通る断面図であり、（ｂ）は斜視図である。
【図３】同実施例のカバー部分を示す図であり、（ａ）はその吸入孔部分を通る断面図であり、（ｂ）はその底面図である。
【図４】本発明において用いる圧抜き兼ピン挿入穴と圧抜き溝部分の各種の態様を示す断面図である。
【図５】従来例を示す図であり、（ａ）はその要部断面図、（ｂ）はカバー部分の斜視図である。
【符号の説明】
１  ポンプ室
２  ハウジング
３  カバー
４  ポンプ部材
５  モータ
６  回転軸
７  吸い込み口
８  吐出孔
１０  モータ室
１１  圧抜き兼ピン挿入穴
１２  位置決めピン
１３  ピン挿入穴
１４  上端面
１５  圧抜き溝
【図１】
2004257245.tif 000003
【図２】
2004257245.tif 000004
【図３】
2004257245.tif 000005
【図４】
2004257245.tif 000006
【図５】
2004257245.tif 000007